(57)【要約】      （修正有）【課題】複数の閲覧者が屋内外を問わず国内外を問わずどこにいても、リアルタイムでエネルギーモニタリングが可能なシステムを提供する。【解決手段】各種エネルギー機器毎のパルス、電流又は電圧をあらかじめ設定した時間間隔毎に常時計測して計測データを記憶する計測装置と、前記計測装置への読み出しにより計測データを収集し、データ処理し、処理データを出力し、データを記憶するデータ管理装置と、前記データ管理装置への読み出しによるデータを処理して表示し記憶する携帯情報端末と、少なくとも計測装置及びデータ管理装置とが接続されるローカルエリアネットワークと、を備えたことを特徴とする、エネルギーモニタリングシステム。【選択図】図１
2015039252.tif 000002
【特許請求の範囲】
【請求項１】
各種エネルギー機器を設置する家庭、店舗や工場などの使用エネルギーをリアルタイム管理できるエネルギーモニタリングシステムであって、各種エネルギー機器毎のパルス、電流又は電圧をあらかじめ設定した時間間隔毎に常時計測して計測データを記憶する計測装置と、前記計測装置への常時読み取りにより計測データを収集し、常時数値データ処理を実施し、処理データを出力し、常時数値からなる文字データのみのデータを記憶するデータ管理装置と、前記データ管理装置から数値からなる文字データのみの必要なデータを呼び出し、データ処理方法を選択し、選択された方法でデータ処理し、処理データを画面に表示し、データを記憶し、設定した警報表示及び警報音を発する携帯情報端末とを含み、少なくとも計測装置及びデータ管理装置とが接続されるローカルエリアネットワークと、を備えたことを特徴とするエネルギーモニタリングシステム。
【請求項２】
前記データ管理装置は、常時計測装置へのデータ読み取りを行いデータ収集する手段と、前記収集したデータを１〜６０秒のいずれかの時間で設定された秒単位毎に使用量を常時算出する手段と、設定した一定時間内における過去の使用実績の算出、前記一定時間内における今後の残時間の予測使用量の予測、及び前記一定時間内における前記使用実績量と前記予測使用量との合計量が予め設定した上限使用量を超えるか否かを判定し前記判定結果を、数値からなる文字データのみの警報データとして作成するまでのデマンド情報処理を常時実施するデマンド情報処理手段と、前記合計量が前記上限使用量を超える場合にリアルタイムで予め登録されたメールアドレスに警報メールを自動送信する手段と、前記すべての手段において処理又は作成された内容や結果を、数値からなる文字データのみで記憶するデータ記憶手段と、を備え、前記携帯情報端末は、前記データ管理装置に記憶された、数値からなる文字データのみの収集データや処理データを選択して読み取り、前記読み取ったデータから、デマンド監視状況に関するデータを処理し表示、時間単位、日単位、月単位又は年単位で使用量状況に関するデータを処理し表示、時間単位、日単位、月単位又は年単位で前回データと比較処理し表示、表示するデータの単位をエネルギー量、料金又はＣＯ２量のうちから選択して表示、及び／又は、表示するデータの表示形式を数値、表及び／又はグラフのうちから選択して表示、などのデータ処理・表示手段と、常時前記警報データを読み取り上限使用量を超えるときにはリアルタイムで警報表示と警報音発生を実行する警報手段と、前記すべての手段において処理又は作成された内容や結果を記憶するデータ記憶手段と、を備えることを特徴とする請求項１に記載のエネルギーモニタリングシステム。
【請求項３】
各種エネルギー機器の管理のために配備された複数の携帯情報端末がスマートフォンやタブレット端末であり、ローカルエリアネットワークやインターネットを介して前記データ管理装置と通信し、エネルギー使用域内の少なくとも１か所に固定されたデータ管理装置と、エネルギー使用エリア内外の場所における移動可能な複数の携帯情報端末とが同時に通信できることを特徴とする請求項１又は２に記載のエネルギーモニタリングシステム。
【発明の詳細な説明】
【技術分野】
【０００１】
本発明は、家庭、店舗又は工場などにおいて、電気、ガス、水道などのエネルギー媒体の使用量を計測、監視、管理して省エネルギー化を促進するためのエネルギーモニタリングシステムに関するものである。
【背景技術】
【０００２】
省エネルギーの関心が高まっており、電気、ガス、水道などの使用量をモニタリングし、これらの情報を複数の端末装置で監視できる技術が開示されている。例えば、特許文献１には、エネルギーを消費する各設備のエネルギー消費に関する物理量を計測する多数の計測器と、前記各計測器の計測データを収集する計測データ収集手段と、前記計測データ収集手段にネットワークを介して接続され、前記計測データ手段に収集されたデータを処理し、処理されたデータを蓄積するとともにＷｅｂサーバ機能を備えたサーバと、前記サーバに前記ネットワークを介して接続されるとともに、ブラウザを備えた端末装置とを備えたエネルギー管理システムの技術が開示されている。
【０００３】
また、特許文献１には、前記サーバは前記端末装置において計測データをリアルタイムで表示するための処理を行う技術が開示されている。
【０００４】
特許文献２には、組織体に属する設備の電流・電圧を所定微小時間間隔毎に計測して計測データを出力する電力量センサと、電力量センサからの計測データを収集するプロトコル変換機能付きＷｅｂサーバと、計測データを用いてデータ処理するデータ処理サーバと、組織体に設置される組織体側端末装置と、プロトコル変換機能付きＷｅｂサーバ、データ処理サーバ及び組織体側端末サーバがそれぞれ接続されるネットワークと、を備える省エネルギー啓蒙システムであって、プロトコル変換機能付きＷｅｂサーバは、収集した計測データを含む通信データをデータ処理サーバに送信する手段を備え、データ処理サーバは、通信データから取り出した計測データにより電力を算出し、この電力を逐次算出して設備の使用電力量を、及び、使用電力量に基づいて予測電力量を、それぞれ生成する生成手段と、各設備の容量や稼働時間に基づいて予め算出された目標電力量に対して使用電力量及び予測電力量を比較した解析グラフデータを生成する解析手段と、解析グラフデータによる省エネルギー啓蒙コンテンツを含むＷｅｂページデータが、組織体側端末装置のブラウザで閲覧できることにより、組織体の構成員に対して、省エネルギー啓蒙を促進し、省エネルギー効果を知覚させる省エネルギー啓蒙システムに関する技術が開示されている。
【０００５】
また、特許文献２には、省エネルギー啓蒙コンテンツを含むＷｅｂページが、組織体側端末装置のブラウザでリアルタイムで閲覧しているとき、電力量センサからプロトコル変換機能付きＷｅｂサーバへの計測データの読み出し間隔を短くして直近の解析グラフデータによる省エネルギー啓蒙コンテンツを含むＷｅｂページデータを生成する技術の記載がある。
【先行技術文献】
【特許文献】
【０００６】
【特許文献１】特開２００１−３５６８１４号公報
【特許文献２】特開２００７−２８０００３号公報
【発明の概要】
【発明が解決しようとする課題】
【０００７】
今年度、国は、エネルギー政策全体を見直す方針を打ち出す中で省エネ活動が今まで以上に促進されることを期待しており、省エネ活動がこれまでになく重要な位置づけを占めるようになってきた。家庭、店舗や工場などにおいても節電に対する関心が今まで以上に高まっている。節電や省エネルギー活動にとって、リアルタイムで使用電力量などに関するモニタリング情報を閲覧でき、かつ複数の閲覧者がモニタリング情報を閲覧できることが重要である。
【０００８】
しかし、特許文献１のエネルギー管理システム及び特許文献２の省エネルギー啓蒙システムは、Ｗｅｂサーバ機能を備えたサーバを使用し端末装置は汎用パソコンを使用しているので、閲覧者は設置された汎用パソコンのところでないと閲覧できないことになり、かつ閲覧者は常時汎用パソコンの前に座っているわけではないことから、汎用パソコンの前から離れて他の仕事や用事をしているときに閲覧することができず閲覧者がリアルタイムで閲覧することが困難であるという問題があった。
【０００９】
また、Ｗｅｂサーバ機能を備えたサーバを使用し端末装置は汎用パソコンを使用するので、装置が大型化し設置場所を確保しなければならないという問題があった。
【００１０】
特許文献２の省エネルギー啓蒙システムは、段落［００４１］に、閲覧者がリアルタイムで閲覧しているときに、電力量センサからプロトコル変換機能付きＷｅｂサーバへの計測データの読み出し間隔を３分毎から１分毎に短くするという記載がされている。しかし、急に電力の使用量が上昇したときにどの設備なのかを迅速に把握したいとき、人が操作した瞬間の電力量の変化を把握したいときなどの場合には、閲覧者がまさに数秒毎の実態を把握しようとするニーズには適応していないという問題があった。
【００１１】
本発明はこうした問題に鑑み創案されたもので、家庭、店舗、工場などにおいて、管理者や省エネ担当者などの複数の閲覧者が屋内外を問わず汎用パソコンの場所を離れて他の仕事や用事をしながら、電力やガスなどの現在の使用エネルギーを秒単位で更新し表示させるリアルタイムでの監視ができるエネルギーモニタリングシステムを提供することを課題とする。
【課題を解決するための手段】
【００１２】
課題を解決するために請求項１に記載のエネルギーモニタリングシステム１の発明は、各種エネルギー機器を設置する家庭、店舗や工場などの使用エネルギーをリアルタイム管理できるエネルギーモニタリングシステムであって、各種エネルギー機器毎のパルス、電流又は電圧をあらかじめ設定した時間間隔毎に常時計測して計測データを記憶する計測装置２と、前記計測装置２への常時読み取りにより計測データを収集し、常時数値データ処理を実施し、処理データを出力し、常時数値からなる文字データのみのデータを記憶するデータ管理装置３と、前記データ管理装置３から数値からなる文字データのみの必要なデータを呼び出し、データ処理方法を選択し、選択された方法でデータ処理し、処理データを画面に表示し、データを記憶し、設定した警報表示及び警報音を発する携帯情報端末とを含み、少なくとも計測装置及びデータ管理装置とが接続されるローカルエリアネットワークと、を備えたことを特徴とする。
【００１３】
請求項２に記載のエネルギーモニタリングシステム１の発明は、請求項１において、前記データ管理装置３は、常時計測装置２へのデータ読み取りを行いデータ収集する手段と、前記収集したデータを１〜６０秒のいずれかの時間で設定された秒単位毎に使用量を常時算出する手段と、設定した一定時間内における過去の使用実績の算出、前記一定時間内における今後の残時間の予測使用量の予測、及び前記一定時間内における前記使用実績量と前記予測使用量との合計量が予め設定した上限使用量を超えるか否かを判定し前記判定結果を警報データとして作成するまでのデマンド情報処理を常時実施するデマンド情報処理手段と、前記合計量が前記上限使用量を超える場合にリアルタイムで予め登録されたメールアドレスに警報メールを自動送信する手段と、前記すべての手段において処理又は作成された内容や結果を記憶するデータ記憶手段と、を備え、前記携帯情報端末４は、前記データ管理装置３に記憶された収集データや処理データを選択して読み取り、前記読み取ったデータから、デマンド監視状況に関するデータを処理し表示、時間単位、日単位、月単位又は年単位で使用量状況に関するデータを処理し表示、時間単位、日単位、月単位又は年単位で前回データと比較処理し表示、表示するデータの単位をエネルギー量、料金又はＣＯ２量のうちから選択して表示、及び／又は、表示するデータの表示形式を数値、表及び／又はグラフのうちから選択して表示、などのデータ処理・表示手段と、常時前記警報データを読み取り上限使用量を超えるときにはリアルタイムで警報表示と警報音発生を実行する警報手段と、前記すべての手段において処理又は作成された内容や結果を記憶するデータ記憶手段と、を備えることを特徴とする。
【００１４】
請求項３に記載のエネルギーモニタリングシステム１の発明は、請求項１又は２において、各種エネルギー機器の管理のために配備された複数の携帯情報端末４がスマートフォンやタブレット端末であり、ローカルエリアネットワーク５やインターネット６を介して前記データ管理装置３と通信し、エネルギー使用域内の少なくとも１か所に固定されたデータ管理装置３と、エネルギー使用エリア内外の場所における移動可能な複数の携帯情報端末４とが同時に通信できることを特徴とする。
【発明の効果】
【００１５】
請求項１に記載のエネルギーモニタリングシステム１の発明は、データ管理装置３から携帯情報端末４への送信を数値からなる文字データのみとしたため、Ｗｅｂ画面の送信に比べて１回当たりのデータ送信量を劇的に大幅に削減することができ、これにより例えば１秒ごとに連続してリアルタイムのデータ送信ができるようになり、前記リアルタイムのデータを携帯情報端末４に表示できるという効果を奏する。
【００１６】
次に、監視する画面を、室内に設置されるパソコンに代えて移動できる携帯情報端末４としたため、例えばスーパーであれば店内を巡回しながら、また家庭であれば庭いじりをしながらなど他の業務や用事をしながらエネルギー使用状況をリアルタイムで監視できるという効果を奏する。しかも複数の携帯情報端末４と通信させることができるので、エネルギー使用量が急に増加したときやデマンド情報で設定した上限使用量を超えそうなときにタイミングを逃さず知ることができ、かつ現場に近い人が現場に急行して処置ができるという効果を奏する。
【００１７】
複数のセンサー１０からのパルス、電流又は電圧を時間間隔毎に常時計測して計測データを記憶する計測装置２と携帯情報端末４とを直接に通信させるシステムの場合には、一般的に計測装置２は単数の携帯情報端末４との通信機能しか有していないため、１台の計測装置２に対して１台の携帯情報端末４との間でしか通信させることができない。これに対して、本発明のシステムは、計測装置２と携帯情報端末４との間に、複数の携帯情報端末４との通信機能を有するデータ管理装置３を介設したことにより、同時に複数の携帯情報端末４と通信ができ、同時に複数の携帯情報端末４でエネルギーモニタリング情報を把握することが可能になったという効果を奏する。
【００１８】
エネルギー使用量をデータ処理するデータ管理装置３の機能を数値データの文字データのみと制限を設定したことから、パソコンやサーバのように画像処理機能も有する必要がないようにしたことから、データ処理する機器の大きさを１０ｃｍ角以内の大きさに大幅に小さくすることができ、パソコンやサーバのように設置場所を広くとらなくてよいという効果を奏する。
【００１９】
請求項２に記載の発明は請求項１の発明と同じ効果を奏する。さらに、パソコンなどの大画面ではグラフ、表、画像や文字などを同一画面上に表示できるが、携帯情報端末４のように小さい画面では同一画面に表示できない。これに対し、本発明では、必要な情報を小さい画面用に分けて利用する者が画面を選択して閲覧できるようにワンタッチで画面を切り替えるようにしたことから必要な情報を大画面の場合の表示内容と同じ内容を切り替えながらすべて表示できるという効果を奏する。
【００２０】
また、携帯情報端末４が電源オフの状態、スリープ状態、又は本発明であるエネルギーモニタリングシステム１のアプリケーションを起動させていない状態の場合は緊急連絡を受信することはできないが、緊急を要する情報として例えばデマンド情報を設定しておけばデータ管理装置３から予め登録されたメールアドレスの端末情報機器に向けて自動的に送信することができ、緊急時を早期に把握し早期にトラブル対応ができるという効果を奏する。
【００２１】
請求項３に記載の発明は請求項１又は２の発明と同じ効果を奏する。さらに、エネルギー使用域内に構築したローカルエリアネットワーク５にデータ管理装置３を固定的に設置し、そのデータ管理装置３からローカルエリアネットワーク５やインターネット６回線で複数の携帯情報端末４にデータ送信できるようにしたので、国内外に出張しているときでも買い物で外出しているときでも、国内外やエネルギー使用域内外にかかわらずリアルタイムでエネルギー使用状況を監視できるという効果を奏する。
【図面の簡単な説明】
【００２２】
【図１】本発明に係るエネルギーモニタリングシステムの実施形態を示す概要構成図である。
【図２】本日の電力使用量を表示した画面の概要説明図である。
【図３】前日と本日の電力使用量を表示した画面の概要説明図である。
【図４】デマンド監視画面の概要説明図である。
【図５】デマンド警報を表示した画面の概要説明図である。
【発明を実施するための形態】
【００２３】
本発明に係るエネルギーモニタリングシステム１は店舗や工場などにおける電気やガスなどのエネルギーの使用量の監視、データ処理、警報表示などを、同時にかつ複数の携帯情報端末４でリアルタイムに閲覧できるようにシステムを構築したので、目で見る管理を企業内や家庭内に浸透させて省エネ化に寄与させるシステムであり、その実施形態の概要を図１に示す。
【００２４】
本発明であるエネルギーモニタリングシステム１は、図１に示すように、各種エネルギー機器を設置する家庭、店舗や工場などの使用エネルギーをリアルタイム管理できるエネルギーモニタリングシステム１であって、各種エネルギー機器毎のパルス、電流又は電圧をあらかじめ設定した時間間隔毎に常時計測して計測データを記憶する計測装置２と、前記計測装置２への常時読み取りにより計測データを収集し、常時数値データ処理を実施し、処理データを出力し、常時数値からなる文字データのみのデータを記憶するデータ管理装置３と、前記データ管理装置３から数値からなる文字データのみの必要なデータを呼び出し、データ処理方法を選択し、選択された方法でデータ処理し、処理データを画面に表示し、データを記憶し、設定した警報表示及び警報音を発する携帯情報端末４とを含み、少なくとも計測装置２及びデータ管理装置３とが接続されるローカルエリアネットワーク５と、を備えたことを特徴とするエネルギーモニタリングシステム１である。
【００２５】
本発明であるエネルギーモニタリングシステム１を構成する要素について、以下に説明する。
【００２６】
各種エネルギー機器とは、店舗、工場又は家庭における電気、ガス又は水道などをエネルギー源として作動する設備や機器を意味する。そして、センサー１０が各種エネルギー機器のメータやブレーカーに取り付けられ、パルス、電圧又は電流等の信号を検知する。
【００２７】
計測装置２は、センサー１０の発するパルス、電流又は電圧等の信号を数値データに変換するという信号処理装置であって、例えば５秒間と測定時間間隔を定めると、５秒間のパルス数のカウントなどを行って得られたデータである数値データを電子データとして記憶する装置である。１つの計測装置２には複数のセンサー１０からの信号を数値データに変換させており、計測装置２は信号処理した数値データを電子データとして記憶する機能を有している。
【００２８】
データ管理装置３は、常時ローカルエリアネットワーク５を介して計測装置２へのデータ読み取りを行いデータ収集する手段と、前記収集したデータを１〜６０秒のいずれかの時間で設定された秒単位毎に使用量を常時算出する手段と、設定した一定時間内における過去の使用実績の算出、前記一定時間内における今後の残時間の予測使用量の予測、及び前記一定時間内における前記使用実績量と前記予測使用量との合計量が予め設定した上限使用量を超えるか否かを判定し前記判定結果を、数値からなる文字データのみの警報データとして作成するまでのデマンド情報処理を常時実施するデマンド情報処理手段と、前記合計量が前記上限使用量を超える場合にリアルタイムで予め登録されたメールアドレスに警報メールを自動送信する手段と、前記すべての手段において処理又は作成された内容や結果を、数値からなる文字データのみで記憶するデータ記憶手段とを備えている。
【００２９】
データ管理装置３のデータ収集は、前記計測装置２にリアルタイムで記憶され続けている数値データを常時ローカルエリアネットワーク５を介して読み取りにいくことによって実施され、使用量の常時算出は、前記計測装置２から読み出して収集したデータを１〜６０秒のいずれかの時間で設定された秒単位毎に使用量を常時リアルタイムに算出することによって実施され、前記算出データは記憶される。例えば、５秒と設定した場合には、５秒間の使用電力量を１区切りとして５秒間ごとにリアルタイムに算出し、その算出した電力量のデータを連続的に、使用した年月日及び時刻とともに記憶させている。
【００３０】
また、デマンド情報の処理は、まず、設定した一定時間内における過去の使用実績の算出として、設定した年月日及び時刻から設定した一定時間内、例えば３０分間と設定した場合には、前記設定した年月日及び時刻から現時点の瞬間までにおける時間内、例えば２０分間経過時点であれば２０分間の使用実績の算出がされる。
【００３１】
次に、前記一定時間内における残時間の予測使用量は、前記一定時間内、例えば３０分間における現在時点から過去の使用量に基づいてリアルタイムで今後の使用量を算出し予測使用量を求めている。
【００３２】
次に、前記一定時間内における前記使用実績量と過去の使用実績から算出した前記予測使用量との合計量が予め設定した上限使用量を超えるか否かを判定し前記判定結果を、数値からなる文字データのみの警報データの作成は、例えば３０分間における過去の２０分間の使用量と、残り１０分間の予測使用量とを加算し、その加算した合計量と、例えばエネルギー使用関係者で独自に設定した最大使用電力量である上限使用量とを比較し、前記合計量が前記上限使用量を超えないときは０とし、超えるときは１と表示した、数値からなる文字データのみの警報データを作成する。
【００３３】
次に、前記合計量が前記上限使用量を超える場合にリアルタイムで予め登録されたメールアドレスへの警報メールの自動送信は、データ管理装置３から、携帯電話、パソコン、又はスマートフォンなどの携帯情報端末４のメールアドレスを予め登録しておけば、前記合計量が前記上限使用量を超える場合にリアルタイムで前記登録された端末に警報メールが自動送信される。
【００３４】
ここで、前記警報データは、携帯情報端末４からデータ管理装置３へ警報データを読み込みにこないと携帯情報端末４の画面に表示させることができない。したがって、携帯情報端末４において本発明であるエネルギーモニタリングシステム１のアプリケーションを起動させていないときには警報をリアルタイムで知ることができない。
【００３５】
そのため、データ管理装置３の警報メールの自動送信は、携帯情報端末４で監視をしていないときであってもエネルギー管理において緊急を要する情報をメールで知ることができるという効果がある。
【００３６】
そして、データ管理装置３でデータ処理され記憶された数値データは、携帯情報端末４からの読み取りによって、データ管理装置３からＬＡＮ（ローカルエリアネットワーク５）及び無線アクセスポイント１１や、ルーター１２及びインターネット６を介して複数の携帯情報端末４に送信される。前記データはＷｅｂ画像などの画像データでなく数値からなる文字データのみとしたため、１回における送信量を激減させることができリアルタイムで秒単位でデータを連続して送信させることが実現できた。
【００３７】
また、計測装置２が計測機能を有するが単数の携帯情報端末４としか通信できなかったが、これに対して、データ管理装置３は複数の携帯情報端末４と同時に通信することが可能であるので、同時に複数の携帯情報端末４からデータ管理装置３へ読み取りにきてそれぞれの携帯情報端末４で異なる画面にすることができる。
【００３８】
次に、携帯情報端末４は、前記データ管理装置３に記憶された、数値からなる文字データのみの収集データや処理データを選択して読み取り、前記読み取ったデータから、デマンド監視状況に関するデータを処理し表示、時間単位、日単位、月単位又は年単位で使用量状況に関するデータを処理し表示、時間単位、日単位、月単位又は年単位で前回データと比較処理し表示、表示するデータの単位をエネルギー量、料金又はＣＯ２量のうちから選択して表示、及び／又は、表示するデータの表示形式を数値、表及び／又はグラフのうちから選択して表示、などのデータ処理・表示手段と、常時前記警報データを読み取り上限使用量を超えるときにはリアルタイムで警報表示と警報音発生を実行する警報手段と、前記すべての手段において処理又は作成された内容や結果を記憶するデータ記憶手段と、を備えている。
【００３９】
携帯情報端末４は、データ管理装置３に記憶された、数値からなる文字データのみの収集データや処理データを選択して読み取っており、データ管理装置３は収集データから基本的データを算出し記憶をする装置であり、携帯情報端末４はデータ管理装置３にデータを読み取りにいき、監視人が目で見る管理がやりやすいように解析データの作成や画面へも表示をするためのデータ処理を実施する装置である。
【００４０】
また、携帯情報端末４は、モニタリングしたいデータの期間として時間単位、日単位、月単位又は年単位を選択し、モニタリングしたいデータの単位としてエネルギー量、料金又はＣＯ２量を選択し、モニタリングしたいデータの表示形式として数値、表及び／又はグラフを選択する。ここで、グラフの選択には、さらに棒グラフや折れ線グラフなどのグラフの形式を選択する。また、デマンド情報を選択することもできる。したがって、表示したい画面を自由に作成することができ、かつ作成した画面をワンタッチで切り替えることができる。
【００４１】
これにより、リアルタイムで例えば電力消費量の変化を、見たい表示形式を選択して屋内外にかかわらず国内外にかかわらずどこにいても手元で見ることができる。
【００４２】
例えば、現在の電力使用状況を見る場合では、図２に示すように現在の時刻の表示をさせて３０分ごとに当日の変化をエネルギー単位での棒グラフを表示させることができ、現在の時刻を表示させて当日の５分ごとの使用量の変化を数値でエネルギー単位で表示させることができる。
【００４３】
また、１週間の電力使用状況を見る場合では、最近の１週間の使用状況を日ごとにエネルギー単位で、折れ線グラフ又は棒グラフで表示させることができる。
【００４４】
また、日報、月報又は年報として表示させることができ、例えば、図３に示すように、日報の場合、現在の時刻を表示させて、前日と本日の電力をエネルギー単位で、数値及びグラフで表示でき、そのグラフでは前日を棒グラフで本日を折れ線グラフで表示することができる。前日と本日の表示をグラフの棒グラフと折れ線グラフで変えると違いが目で見て視覚的によくわかる。また、同一画面内でグラフの色も選択して変えることもできる。
【００４５】
さらに携帯情報端末４は、データ管理装置３でデータ処理された、数値からなる文字データからなるデマンド関連データを見たい表示形式を選択してデマンド監視情報を表示する。図４に示すように、現在時刻の表示とともに、データ管理装置３でデータ処理されたデマンド監視データである現在使用量と３０分間の予測使用量とを数値及び折れ線グラフで表示できる。このとき使用電力上限の目標も折れ線グラフで表示し、例えば目標折れ線グラフを青色表示し、定められた３０分間のうち現在時刻までの実績使用量を橙色表示し、計算して３０分間の使用量の予測使用量を緑色表示することもできる。このとき実績使用量と予測使用量の区分として、数値表示の色とグラフの色を一致させると視覚的にわかりやすい。
【００４６】
そして、予測使用量が目標使用量を超えるという予測がデータ管理装置３で出た場合には、本発明のアプリケーションを立ち上げている携帯情報端末４の画面上に図５に示すような警報の表示をし、かつ携帯情報端末４に警報音を発するようにしている。
【００４７】
また、各種エネルギー機器の管理のために配備された複数の携帯情報端末４がスマートフォンやタブレット端末である。これにより、経営者、管理者や担当者が閲覧でき、関係者が全員リアルタイムで監視できるので、省エネ活動を組織内に浸透させ日常業務として定着させることが容易になる。
【００４８】
携帯情報端末４は、ローカルエリアネットワーク５やインターネット６を介して前記データ管理装置３と通信し、エネルギー使用域内の少なくとも１か所に固定されたデータ管理装置３と、エネルギー使用エリア内外の場所における移動可能な複数の携帯情報端末４とが同時に通信できる。これにより、今まで店舗内、工場内又は家庭内でなければモニタリングができなかったが、本発明のエネルギーモニタリングシステム１を使用すると、店舗内、工場内又は家庭内におけるＬＡＮとの通信可能範囲にとどまらず、インターネット６通信が可能な地域であれば世界中のどこにいてもエネルギーモニタリングをすることができる。
【００４９】
なお、本発明のエネルギーモニタリングシステム１は、電力だけでなく、ガスの使用量も、ガス用センサーとガス用のエネルギー計測装置２とを使用して監視でき、水道の使用量も、水道用センサーと水道用のエネルギー計測装置２と使用して監視することができる。
【符号の説明】
【００５０】
１        エネルギーモニタリングシステム
２        計測装置
３        データ管理装置
４        携帯情報端末
５        ローカルエリアネットワーク
６        インターネット
１０      センサー
１１      無線アクセスポイント
１２      ルーター
【図１】
2015039252.tif 000003
【図２】
2015039252.tif 000004
【図３】
2015039252.tif 000005
【図４】
2015039252.tif 000006
【図５】
2015039252.tif 000007
【手続補正書】
【提出日】平成24年9月24日(2012.9.24)
【手続補正１】
【補正対象書類名】明細書
【補正対象項目名】全文
【補正方法】変更
【補正の内容】
【発明の詳細な説明】
【技術分野】
【０００１】
本発明は、家庭、店舗又は工場などにおいて、電気、ガス、水道などのエネルギー媒体の使用量を計測、監視、管理して省エネルギー化を促進するためのエネルギーモニタリングシステムに関するものである。
【背景技術】
【０００２】
省エネルギーの関心が高まっており、電気、ガス、水道などの使用量をモニタリングし、これらの情報を複数の端末装置で監視できる技術が開示されている。例えば、特許文献１には、エネルギーを消費する各設備のエネルギー消費に関する物理量を計測する多数の計測器と、前記各計測器の計測データを収集する計測データ収集手段と、前記計測データ収集手段にネットワークを介して接続され、前記計測データ手段に収集されたデータを処理し、処理されたデータを蓄積するとともにＷｅｂサーバ機能を備えたサーバと、前記サーバに前記ネットワークを介して接続されるとともに、ブラウザを備えた端末装置とを備えたエネルギー管理システムの技術が開示されている。
【０００３】
また、特許文献１には、前記サーバは前記端末装置において計測データをリアルタイムで表示するための処理を行う技術が開示されている。
【０００４】
特許文献２には、組織体に属する設備の電流・電圧を所定微小時間間隔毎に計測して計測データを出力する電力量センサと、電力量センサからの計測データを収集するプロトコル変換機能付きＷｅｂサーバと、計測データを用いてデータ処理するデータ処理サーバと、組織体に設置される組織体側端末装置と、プロトコル変換機能付きＷｅｂサーバ、データ処理サーバ及び組織体側端末サーバがそれぞれ接続されるネットワークと、を備える省エネルギー啓蒙システムであって、プロトコル変換機能付きＷｅｂサーバは、収集した計測データを含む通信データをデータ処理サーバに送信する手段を備え、データ処理サーバは、通信データから取り出した計測データにより電力を算出し、この電力を逐次算出して設備の使用電力量を、及び、使用電力量に基づいて予測電力量を、それぞれ生成する生成手段と、各設備の容量や稼働時間に基づいて予め算出された目標電力量に対して使用電力量及び予測電力量を比較した解析グラフデータを生成する解析手段と、解析グラフデータによる省エネルギー啓蒙コンテンツを含むＷｅｂページデータが、組織体側端末装置のブラウザで閲覧できることにより、組織体の構成員に対して、省エネルギー啓蒙を促進し、省エネルギー効果を知覚させる省エネルギー啓蒙システムに関する技術が開示されている。
【０００５】
また、特許文献２には、省エネルギー啓蒙コンテンツを含むＷｅｂページが、組織体側端末装置のブラウザでリアルタイムで閲覧しているとき、電力量センサからプロトコル変換機能付きＷｅｂサーバへの計測データの読み出し間隔を短くして直近の解析グラフデータによる省エネルギー啓蒙コンテンツを含むＷｅｂページデータを生成する技術の記載がある。
【先行技術文献】
【特許文献】
【０００６】
【特許文献１】特開２００１−３５６８１４号公報
【特許文献２】特開２００７−２８０００３号公報
【発明の概要】
【発明が解決しようとする課題】
【０００７】
今年度、国は、エネルギー政策全体を見直す方針を打ち出す中で省エネ活動が今まで以上に促進されることを期待しており、省エネ活動がこれまでになく重要な位置づけを占めるようになってきた。家庭、店舗や工場などにおいても節電に対する関心が今まで以上に高まっている。節電や省エネルギー活動にとって、リアルタイムで使用電力量などに関するモニタリング情報を閲覧でき、かつ複数の閲覧者がモニタリング情報を閲覧できることが重要である。
【０００８】
しかし、特許文献１のエネルギー管理システム及び特許文献２の省エネルギー啓蒙システムは、Ｗｅｂサーバ機能を備えたサーバを使用し端末装置は汎用パソコンを使用しているので、閲覧者は設置された汎用パソコンのところでないと閲覧できないことになり、かつ閲覧者は常時汎用パソコンの前に座っているわけではないことから、汎用パソコンの前から離れて他の仕事や用事をしているときに閲覧することができず閲覧者がリアルタイムで閲覧することが困難であるという問題があった。
【０００９】
また、Ｗｅｂサーバ機能を備えたサーバを使用し端末装置は汎用パソコンを使用するので、装置が大型化し設置場所を確保しなければならないという問題があった。
【００１０】
特許文献２の省エネルギー啓蒙システムは、段落［００４１］に、閲覧者がリアルタイムで閲覧しているときに、電力量センサからプロトコル変換機能付きＷｅｂサーバへの計測データの読み出し間隔を３分毎から１分毎に短くするという記載がされている。しかし、急に電力の使用量が上昇したときにどの設備なのかを迅速に把握したいとき、人が操作した瞬間の電力量の変化を把握したいときなどの場合には、閲覧者がまさに数秒毎の実態を把握しようとするニーズには適応していないという問題があった。
【００１１】
本発明はこうした問題に鑑み創案されたもので、家庭、店舗、工場などにおいて、管理者や省エネ担当者などの複数の閲覧者が屋内外を問わず汎用パソコンの場所を離れて他の仕事や用事をしながら、電力やガスなどの現在の使用エネルギーを秒単位で更新し表示させるリアルタイムでの監視ができるエネルギーモニタリングシステムを提供することを課題とする。
【課題を解決するための手段】
【００１２】
課題を解決するために請求項１に記載のエネルギーモニタリングシステム１の発明は、各種エネルギー機器を設置する家庭、店舗や工場などの使用エネルギーをリアルタイム管理できるエネルギーモニタリングシステムであって、各種エネルギー機器毎のパルス、電流又は電圧をあらかじめ設定した時間間隔毎に常時計測して計測データを記憶する計測装置２と、前記計測装置２への常時読み取りにより計測データを収集し、常時数値データ処理を実施し、処理データを出力し、常時数値からなる文字データのみのデータを記憶するデータ管理装置３と、前記データ管理装置３から数値からなる文字データのみの必要なデータを呼び出し、データ処理方法を選択し、選択された方法でデータ処理し、処理データを画面に表示し、データを記憶し、設定した警報表示及び警報音を発する携帯情報端末と、少なくとも計測装置及びデータ管理装置とが接続されるローカルエリアネットワークと、を備えたことを特徴とする。
【００１３】
請求項２に記載のエネルギーモニタリングシステム１の発明は、請求項１において、前記データ管理装置３は、常時計測装置２へのデータ読み取りを行いデータ収集する手段と、前記収集したデータを１〜６０秒のいずれかの時間で設定された秒単位毎に使用量を常時算出する手段と、設定した一定時間内における過去の使用実績の算出、前記一定時間内における今後の残時間の予測使用量の予測、及び前記一定時間内における前記使用実績量と前記予測使用量との合計量が予め設定した上限使用量を超えるか否かを判定し前記判定結果を警報データとして作成するまでのデマンド情報処理を常時実施するデマンド情報処理手段と、前記合計量が前記上限使用量を超える場合にリアルタイムで予め登録されたメールアドレスに警報メールを自動送信する手段と、前記すべての手段において処理又は作成された内容や結果を記憶するデータ記憶手段と、を備え、前記携帯情報端末４は、前記データ管理装置３に記憶された収集データや処理データを選択して読み取り、前記読み取ったデータから、デマンド監視状況に関するデータを処理し表示、時間単位、日単位、月単位又は年単位で使用量状況に関するデータを処理し表示、時間単位、日単位、月単位又は年単位で前回データと比較処理し表示、表示するデータの単位をエネルギー量、料金又はＣＯ２量のうちから選択して表示、及び／又は、表示するデータの表示形式を数値、表及び／又はグラフのうちから選択して表示、などのデータ処理・表示手段と、常時前記警報データを読み取り上限使用量を超えるときにはリアルタイムで警報表示と警報音発生を実行する警報手段と、前記すべての手段において処理又は作成された内容や結果を記憶するデータ記憶手段と、を備えることを特徴とする。
【００１４】
請求項３に記載のエネルギーモニタリングシステム１の発明は、請求項１又は２において、各種エネルギー機器の管理のために配備された複数の携帯情報端末４がスマートフォンやタブレット端末であり、ローカルエリアネットワーク５やインターネット６を介して前記データ管理装置３と通信し、エネルギー使用域内の少なくとも１か所に固定されたデータ管理装置３と、エネルギー使用エリア内外の場所における移動可能な複数の携帯情報端末４とが同時に通信できることを特徴とする。
【発明の効果】
【００１５】
請求項１に記載のエネルギーモニタリングシステム１の発明は、データ管理装置３から携帯情報端末４への送信を数値からなる文字データのみとしたため、Ｗｅｂ画面の送信に比べて１回当たりのデータ送信量を劇的に大幅に削減することができ、これにより例えば１秒ごとに連続してリアルタイムのデータ送信ができるようになり、前記リアルタイムのデータを携帯情報端末４に表示できるという効果を奏する。
【００１６】
次に、監視する画面を、室内に設置されるパソコンに代えて移動できる携帯情報端末４としたため、例えばスーパーであれば店内を巡回しながら、また家庭であれば庭いじりをしながらなど他の業務や用事をしながらエネルギー使用状況をリアルタイムで監視できるという効果を奏する。しかも複数の携帯情報端末４と通信させることができるので、エネルギー使用量が急に増加したときやデマンド情報で設定した上限使用量を超えそうなときにタイミングを逃さず知ることができ、かつ現場に近い人が現場に急行して処置ができるという効果を奏する。
【００１７】
複数のセンサー１０からのパルス、電流又は電圧を時間間隔毎に常時計測して計測データを記憶する計測装置２と携帯情報端末４とを直接に通信させるシステムの場合には、一般的に計測装置２は単数の携帯情報端末４との通信機能しか有していないため、１台の計測装置２に対して１台の携帯情報端末４との間でしか通信させることができない。これに対して、本発明のシステムは、計測装置２と携帯情報端末４との間に、複数の携帯情報端末４との通信機能を有するデータ管理装置３を介設したことにより、同時に複数の携帯情報端末４と通信ができ、同時に複数の携帯情報端末４でエネルギーモニタリング情報を把握することが可能になったという効果を奏する。
【００１８】
エネルギー使用量をデータ処理するデータ管理装置３の機能を数値データの文字データのみと制限を設定したことから、パソコンやサーバのように画像処理機能も有する必要がないようにしたことから、データ処理する機器の大きさを１０ｃｍ角以内の大きさに大幅に小さくすることができ、パソコンやサーバのように設置場所を広くとらなくてよいという効果を奏する。
【００１９】
請求項２に記載の発明は請求項１の発明と同じ効果を奏する。さらに、パソコンなどの大画面ではグラフ、表、画像や文字などを同一画面上に表示できるが、携帯情報端末４のように小さい画面では同一画面に表示できない。これに対し、本発明では、必要な情報を小さい画面用に分けて利用する者が画面を選択して閲覧できるようにワンタッチで画面を切り替えるようにしたことから必要な情報を大画面の場合の表示内容と同じ内容を切り替えながらすべて表示できるという効果を奏する。
【００２０】
また、携帯情報端末４が電源オフの状態、スリープ状態、又は本発明であるエネルギーモニタリングシステム１のアプリケーションを起動させていない状態の場合は緊急連絡を受信することはできないが、緊急を要する情報として例えばデマンド情報を設定しておけばデータ管理装置３から予め登録されたメールアドレスの端末情報機器に向けて自動的に送信することができ、緊急時を早期に把握し早期にトラブル対応ができるという効果を奏する。
【００２１】
請求項３に記載の発明は請求項１又は２の発明と同じ効果を奏する。さらに、エネルギー使用域内に構築したローカルエリアネットワーク５にデータ管理装置３を固定的に設置し、そのデータ管理装置３からローカルエリアネットワーク５やインターネット６回線で複数の携帯情報端末４にデータ送信できるようにしたので、国内外に出張しているときでも買い物で外出しているときでも、国内外やエネルギー使用域内外にかかわらずリアルタイムでエネルギー使用状況を監視できるという効果を奏する。
【図面の簡単な説明】
【００２２】
【図１】本発明に係るエネルギーモニタリングシステムの実施形態を示す概要構成図である。
【図２】本日の電力使用量を表示した画面の概要説明図である。
【図３】前日と本日の電力使用量を表示した画面の概要説明図である。
【図４】デマンド監視画面の概要説明図である。
【図５】デマンド警報を表示した画面の概要説明図である。
【発明を実施するための形態】
【００２３】
本発明に係るエネルギーモニタリングシステム１は店舗や工場などにおける電気やガスなどのエネルギーの使用量の監視、データ処理、警報表示などを、同時にかつ複数の携帯情報端末４でリアルタイムに閲覧できるようにシステムを構築したので、目で見る管理を企業内や家庭内に浸透させて省エネ化に寄与させるシステムであり、その実施形態の概要を図１に示す。
【００２４】
本発明であるエネルギーモニタリングシステム１は、図１に示すように、各種エネルギー機器を設置する家庭、店舗や工場などの使用エネルギーをリアルタイム管理できるエネルギーモニタリングシステム１であって、各種エネルギー機器毎のパルス、電流又は電圧をあらかじめ設定した時間間隔毎に常時計測して計測データを記憶する計測装置２と、前記計測装置２への常時読み取りにより計測データを収集し、常時数値データ処理を実施し、処理データを出力し、常時数値からなる文字データのみのデータを記憶するデータ管理装置３と、前記データ管理装置３から数値からなる文字データのみの必要なデータを呼び出し、データ処理方法を選択し、選択された方法でデータ処理し、処理データを画面に表示し、データを記憶し、設定した警報表示及び警報音を発する携帯情報端末４と、少なくとも計測装置２及びデータ管理装置３とが接続されるローカルエリアネットワーク５と、を備えたことを特徴とするエネルギーモニタリングシステム１である。
【００２５】
本発明であるエネルギーモニタリングシステム１を構成する要素について、以下に説明する。
【００２６】
各種エネルギー機器とは、店舗、工場又は家庭における電気、ガス又は水道などをエネルギー源として作動する設備や機器を意味する。そして、センサー１０が各種エネルギー機器のメータやブレーカーに取り付けられ、パルス、電圧又は電流等の信号を検知する。
【００２７】
計測装置２は、センサー１０の発するパルス、電流又は電圧等の信号を数値データに変換するという信号処理装置であって、例えば５秒間と測定時間間隔を定めると、５秒間のパルス数のカウントなどを行って得られたデータである数値データを電子データとして記憶する装置である。１つの計測装置２には複数のセンサー１０からの信号を数値データに変換させており、計測装置２は信号処理した数値データを電子データとして記憶する機能を有している。
【００２８】
データ管理装置３は、常時ローカルエリアネットワーク５を介して計測装置２へのデータ読み取りを行いデータ収集する手段と、前記収集したデータを１〜６０秒のいずれかの時間で設定された秒単位毎に使用量を常時算出する手段と、設定した一定時間内における過去の使用実績の算出、前記一定時間内における今後の残時間の予測使用量の予測、及び前記一定時間内における前記使用実績量と前記予測使用量との合計量が予め設定した上限使用量を超えるか否かを判定し前記判定結果を、数値からなる文字データのみの警報データとして作成するまでのデマンド情報処理を常時実施するデマンド情報処理手段と、前記合計量が前記上限使用量を超える場合にリアルタイムで予め登録されたメールアドレスに警報メールを自動送信する手段と、前記すべての手段において処理又は作成された内容や結果を、数値からなる文字データのみで記憶するデータ記憶手段とを備えている。
【００２９】
データ管理装置３のデータ収集は、前記計測装置２にリアルタイムで記憶され続けている数値データを常時ローカルエリアネットワーク５を介して読み取りにいくことによって実施され、使用量の常時算出は、前記計測装置２から読み出して収集したデータを１〜６０秒のいずれかの時間で設定された秒単位毎に使用量を常時リアルタイムに算出することによって実施され、前記算出データは記憶される。例えば、５秒と設定した場合には、５秒間の使用電力量を１区切りとして５秒間ごとにリアルタイムに算出し、その算出した電力量のデータを連続的に、使用した年月日及び時刻とともに記憶させている。
【００３０】
また、デマンド情報の処理は、まず、設定した一定時間内における過去の使用実績の算出として、設定した年月日及び時刻から設定した一定時間内、例えば３０分間と設定した場合には、前記設定した年月日及び時刻から現時点の瞬間までにおける時間内、例えば２０分間経過時点であれば２０分間の使用実績の算出がされる。
【００３１】
次に、前記一定時間内における残時間の予測使用量は、前記一定時間内、例えば３０分間における現在時点から過去の使用量に基づいてリアルタイムで今後の使用量を算出し予測使用量を求めている。
【００３２】
次に、前記一定時間内における前記使用実績量と過去の使用実績から算出した前記予測使用量との合計量が予め設定した上限使用量を超えるか否かを判定し前記判定結果を、数値からなる文字データのみの警報データの作成は、例えば３０分間における過去の２０分間の使用量と、残り１０分間の予測使用量とを加算し、その加算した合計量と、例えばエネルギー使用関係者で独自に設定した最大使用電力量である上限使用量とを比較し、前記合計量が前記上限使用量を超えないときは０とし、超えるときは１と表示した、数値からなる文字データのみの警報データを作成する。
【００３３】
次に、前記合計量が前記上限使用量を超える場合にリアルタイムで予め登録されたメールアドレスへの警報メールの自動送信は、データ管理装置３から、携帯電話、パソコン、又はスマートフォンなどの携帯情報端末４のメールアドレスを予め登録しておけば、前記合計量が前記上限使用量を超える場合にリアルタイムで前記登録された端末に警報メールが自動送信される。
【００３４】
ここで、前記警報データは、携帯情報端末４からデータ管理装置３へ警報データを読み込みにこないと携帯情報端末４の画面に表示させることができない。したがって、携帯情報端末４において本発明であるエネルギーモニタリングシステム１のアプリケーションを起動させていないときには警報をリアルタイムで知ることができない。
【００３５】
そのため、データ管理装置３の警報メールの自動送信は、携帯情報端末４で監視をしていないときであってもエネルギー管理において緊急を要する情報をメールで知ることができるという効果がある。
【００３６】
そして、データ管理装置３でデータ処理され記憶された数値データは、携帯情報端末４からの読み取りによって、データ管理装置３からＬＡＮ（ローカルエリアネットワーク５）及び無線アクセスポイント１１や、ルーター１２及びインターネット６を介して複数の携帯情報端末４に送信される。前記データはＷｅｂ画像などの画像データでなく数値からなる文字データのみとしたため、１回における送信量を激減させることができリアルタイムで秒単位でデータを連続して送信させることが実現できた。
【００３７】
また、計測装置２が計測機能を有するが単数の携帯情報端末４としか通信できなかったが、これに対して、データ管理装置３は複数の携帯情報端末４と同時に通信することが可能であるので、同時に複数の携帯情報端末４からデータ管理装置３へ読み取りにきてそれぞれの携帯情報端末４で異なる画面にすることができる。
【００３８】
次に、携帯情報端末４は、前記データ管理装置３に記憶された、数値からなる文字データのみの収集データや処理データを選択して読み取り、前記読み取ったデータから、デマンド監視状況に関するデータを処理し表示、時間単位、日単位、月単位又は年単位で使用量状況に関するデータを処理し表示、時間単位、日単位、月単位又は年単位で前回データと比較処理し表示、表示するデータの単位をエネルギー量、料金又はＣＯ２量のうちから選択して表示、及び／又は、表示するデータの表示形式を数値、表及び／又はグラフのうちから選択して表示、などのデータ処理・表示手段と、常時前記警報データを読み取り上限使用量を超えるときにはリアルタイムで警報表示と警報音発生を実行する警報手段と、前記すべての手段において処理又は作成された内容や結果を記憶するデータ記憶手段と、を備えている。
【００３９】
携帯情報端末４は、データ管理装置３に記憶された、数値からなる文字データのみの収集データや処理データを選択して読み取っており、データ管理装置３は収集データから基本的データを算出し記憶をする装置であり、携帯情報端末４はデータ管理装置３にデータを読み取りにいき、監視人が目で見る管理がやりやすいように解析データの作成や画面へも表示をするためのデータ処理を実施する装置である。
【００４０】
また、携帯情報端末４は、モニタリングしたいデータの期間として時間単位、日単位、月単位又は年単位を選択し、モニタリングしたいデータの単位としてエネルギー量、料金又はＣＯ２量を選択し、モニタリングしたいデータの表示形式として数値、表及び／又はグラフを選択する。ここで、グラフの選択には、さらに棒グラフや折れ線グラフなどのグラフの形式を選択する。また、デマンド情報を選択することもできる。したがって、表示したい画面を自由に作成することができ、かつ作成した画面をワンタッチで切り替えることができる。
【００４１】
これにより、リアルタイムで例えば電力消費量の変化を、見たい表示形式を選択して屋内外にかかわらず国内外にかかわらずどこにいても手元で見ることができる。
【００４２】
例えば、現在の電力使用状況を見る場合では、図２に示すように現在の時刻の表示をさせて３０分ごとに当日の変化をエネルギー単位での棒グラフを表示させることができ、現在の時刻を表示させて当日の５分ごとの使用量の変化を数値でエネルギー単位で表示させることができる。
【００４３】
また、１週間の電力使用状況を見る場合では、最近の１週間の使用状況を日ごとにエネルギー単位で、折れ線グラフ又は棒グラフで表示させることができる。
【００４４】
また、日報、月報又は年報として表示させることができ、例えば、図３に示すように、日報の場合、現在の時刻を表示させて、前日と本日の電力をエネルギー単位で、数値及びグラフで表示でき、そのグラフでは前日を棒グラフで本日を折れ線グラフで表示することができる。前日と本日の表示をグラフの棒グラフと折れ線グラフで変えると違いが目で見て視覚的によくわかる。また、同一画面内でグラフの色も選択して変えることもできる。
【００４５】
さらに携帯情報端末４は、データ管理装置３でデータ処理された、数値からなる文字データからなるデマンド関連データを見たい表示形式を選択してデマンド監視情報を表示する。図４に示すように、現在時刻の表示とともに、データ管理装置３でデータ処理されたデマンド監視データである現在使用量と３０分間の予測使用量とを数値及び折れ線グラフで表示できる。このとき使用電力上限の目標も折れ線グラフで表示し、例えば目標折れ線グラフを青色表示し、定められた３０分間のうち現在時刻までの実績使用量を橙色表示し、計算して３０分間の使用量の予測使用量を緑色表示することもできる。このとき実績使用量と予測使用量の区分として、数値表示の色とグラフの色を一致させると視覚的にわかりやすい。
【００４６】
そして、予測使用量が目標使用量を超えるという予測がデータ管理装置３で出た場合には、本発明のアプリケーションを立ち上げている携帯情報端末４の画面上に図５に示すような警報の表示をし、かつ携帯情報端末４に警報音を発するようにしている。
【００４７】
また、各種エネルギー機器の管理のために配備された複数の携帯情報端末４がスマートフォンやタブレット端末である。これにより、経営者、管理者や担当者が閲覧でき、関係者が全員リアルタイムで監視できるので、省エネ活動を組織内に浸透させ日常業務として定着させることが容易になる。
【００４８】
携帯情報端末４は、ローカルエリアネットワーク５やインターネット６を介して前記データ管理装置３と通信し、エネルギー使用域内の少なくとも１か所に固定されたデータ管理装置３と、エネルギー使用エリア内外の場所における移動可能な複数の携帯情報端末４とが同時に通信できる。これにより、今まで店舗内、工場内又は家庭内でなければモニタリングができなかったが、本発明のエネルギーモニタリングシステム１を使用すると、店舗内、工場内又は家庭内におけるＬＡＮとの通信可能範囲にとどまらず、インターネット６通信が可能な地域であれば世界中のどこにいてもエネルギーモニタリングをすることができる。
【００４９】
なお、本発明のエネルギーモニタリングシステム１は、電力だけでなく、ガスの使用量も、ガス用センサーとガス用のエネルギー計測装置２とを使用して監視でき、水道の使用量も、水道用センサーと水道用のエネルギー計測装置２と使用して監視することができる。
【符号の説明】
【００５０】
１        エネルギーモニタリングシステム
２        計測装置
３        データ管理装置
４        携帯情報端末
５        ローカルエリアネットワーク
６        インターネット
１０      センサー
１１      無線アクセスポイント
１２      ルーター
【手続補正２】
【補正対象書類名】特許請求の範囲
【補正対象項目名】全文
【補正方法】変更
【補正の内容】
【特許請求の範囲】
【請求項１】
各種エネルギー機器を設置する家庭、店舗や工場などの使用エネルギーをリアルタイム管理できるエネルギーモニタリングシステムであって、各種エネルギー機器毎のパルス、電流又は電圧をあらかじめ設定した時間間隔毎に常時計測して計測データを記憶する計測装置と、前記計測装置への常時読み取りにより計測データを収集し、常時数値データ処理を実施し、処理データを出力し、常時数値からなる文字データのみのデータを記憶するデータ管理装置と、前記データ管理装置から数値からなる文字データのみの必要なデータを呼び出し、データ処理方法を選択し、選択された方法でデータ処理し、処理データを画面に表示し、データを記憶し、設定した警報表示及び警報音を発する携帯情報端末と、少なくとも計測装置及びデータ管理装置とが接続されるローカルエリアネットワークと、を備えたことを特徴とするエネルギーモニタリングシステム。
【請求項２】
前記データ管理装置は、常時計測装置へのデータ読み取りを行いデータ収集する手段と、前記収集したデータを１〜６０秒のいずれかの時間で設定された秒単位毎に使用量を常時算出する手段と、設定した一定時間内における過去の使用実績の算出、前記一定時間内における今後の残時間の予測使用量の予測、及び前記一定時間内における前記使用実績量と前記予測使用量との合計量が予め設定した上限使用量を超えるか否かを判定し前記判定結果を、数値からなる文字データのみの警報データとして作成するまでのデマンド情報処理を常時実施するデマンド情報処理手段と、前記合計量が前記上限使用量を超える場合にリアルタイムで予め登録されたメールアドレスに警報メールを自動送信する手段と、前記すべての手段において処理又は作成された内容や結果を、数値からなる文字データのみで記憶するデータ記憶手段と、を備え、前記携帯情報端末は、前記データ管理装置に記憶された、数値からなる文字データのみの収集データや処理データを選択して読み取り、前記読み取ったデータから、デマンド監視状況に関するデータを処理し表示、時間単位、日単位、月単位又は年単位で使用量状況に関するデータを処理し表示、時間単位、日単位、月単位又は年単位で前回データと比較処理し表示、表示するデータの単位をエネルギー量、料金又はＣＯ２量のうちから選択して表示、及び／又は、表示するデータの表示形式を数値、表及び／又はグラフのうちから選択して表示、などのデータ処理・表示手段と、常時前記警報データを読み取り上限使用量を超えるときにはリアルタイムで警報表示と警報音発生を実行する警報手段と、前記すべての手段において処理又は作成された内容や結果を記憶するデータ記憶手段と、を備えることを特徴とする請求項１に記載のエネルギーモニタリングシステム。
【請求項３】
各種エネルギー機器の管理のために配備された複数の携帯情報端末がスマートフォンやタブレット端末であり、ローカルエリアネットワークやインターネットを介して前記データ管理装置と通信し、エネルギー使用域内の少なくとも１か所に固定されたデータ管理装置と、エネルギー使用エリア内外の場所における移動可能な複数の携帯情報端末とが同時に通信できることを特徴とする請求項１又は２に記載のエネルギーモニタリングシステム。